(57)【要約】  実施形態の電池モジュールは、第１バッテリと、第２バッテリと、ケースと、スペーサとを持つ。前記第１バッテリおよび前記第２バッテリは、バッテリ本体と、一対の端子とをそれぞれ有する。前記バッテリ本体は、該バッテリ本体の表面のなかで面積が最も広い第１面と、前記第１面よりも面積が狭い第２面とを有する。前記第１バッテリおよび前記第２バッテリは、前記第２面同士を向かい合わせにして配置されている。前記ケースは、前記第１バッテリおよび前記第２バッテリを収容し、前記第１バッテリに比べて前記第２バッテリの近くに通風口を有する。前記スペーサは、前記第１バッテリの前記第１面に沿って設けられ、前記第１バッテリの前記第１面の表面に沿って冷却流体が流れる隙間を前記ケースの内部に保つ。
2017154076.tif 000002
【特許請求の範囲】
【請求項１】
扁平な直方体状のバッテリ本体と、前記バッテリ本体の一端部に設けられた一対の端子とをそれぞれ有し、前記バッテリ本体は、該バッテリ本体の表面のなかで面積が最も広い第１面と、前記第１面よりも面積が狭い第２面とを有し、前記第２面同士を向かい合わせにして配置された第１バッテリおよび第２バッテリと、
前記第１バッテリおよび前記第２バッテリを収容し、前記第１バッテリに比べて前記第２バッテリの近くに第１通風口を有したケースと、
前記第１バッテリの前記第１面に沿って設けられ、前記第１バッテリの前記第１面のなかで前記一対の端子が離間した方向において前記一対の端子よりも前記第１面の中央部に近い領域に対応して配置され、前記第１バッテリの前記第１面の表面に沿って冷却流体が流れる隙間を前記ケースの内部に保つスペーサと、
を備えた電池モジュール。
【請求項２】
前記ケースは、前記第１バッテリと前記第２バッテリとが並ぶ方向とは交差する方向から該ケースの内部に開口して前記第１通風口との間で前記冷却流体が流れる第２通風口を有し、前記第２通風口の少なくとも一部は、前記第２バッテリよりも前記第１バッテリの近くに位置して前記スペーサに面した、
請求項１に記載の電池モジュール。
【請求項３】
前記第２通風口は、前記ケースの内部に前記冷却流体を流入させる吸気口であり、前記第１通風口は、前記ケースの外部に前記冷却流体を流出させる排気口である、
請求項２に記載の電池モジュール。
【請求項４】
前記スペーサの少なくとも一部は、前記第１バッテリと前記第２バッテリとが並ぶ方向とは交差する方向に延びた、
請求項１に記載の電池モジュール。
【請求項５】
前記第１バッテリを含むとともに、前記第１面同士の間に前記隙間を空けて前記第１面同士を向かい合わせにして配置された複数のバッテリをさらに備え、
前記スペーサは、前記複数のバッテリの間に配置された、
請求項１に記載の電池モジュール。
【請求項６】
前記スペーサは、前記第１バッテリと前記ケースの内面との間に配置された、
請求項１に記載の電池モジュール。
【請求項７】
前記スペーサは、前記第１バッテリと前記第２バッテリとが並ぶ方向に互いに離間して配置された複数のスペーサ部材を有した、
請求項１に記載の電池モジュール。
【請求項８】
前記複数のスペーサ部材の各々は、少なくとも一部が前記第１バッテリと前記第２バッテリとが並ぶ方向とは交差する方向に延びた、
請求項７に記載の電池モジュール。
【請求項９】
前記ケースは、前記第１通風口とは異なる方向から該ケースの内部に開口して前記スペーサに面した第２通風口を有し、
前記複数のスペーサ部材は、前記第２通風口から離れる方向に進むに従い互いの間の間隔が広くなる放射状に配置された、
請求項７に記載の電池モジュール。
【請求項１０】
前記ケースは、前記第１通風口とは異なる方向から該ケースの内部に開口して前記スペーサに面した第２通風口を有し、
前記スペーサは、前記第１バッテリと前記第２バッテリとが並ぶ方向とは交差する方向に延びた第１部分と、前記第１部分の端部から前記第１通風口に近付く方向に折れ曲がって延びた第２部分とを含む、
請求項１に記載の電池モジュール。
【請求項１１】
前記第２バッテリは、該第２バッテリの前記第１面を覆う絶縁フィルムを有した、
請求項１に記載の電池モジュール。
【請求項１２】
前記第２バッテリの前記第１面に沿って配置された絶縁板をさらに備えた、
請求項１に記載の電池モジュール。
【請求項１３】
前記第２バッテリの前記第１面に沿う隙間には、スペーサが設けられていないまたは前記第１バッテリの前記第１面に沿う前記スペーサよりも薄いスペーサが設けられた、
請求項１に記載の電池モジュール。
【請求項１４】
前記第１バッテリおよび前記第２バッテリが膨張しようとする場合に、前記第１バッテリの前記第１面に沿う前記隙間は、前記スペーサによって保たれ、前記第２バッテリの前記第１面に沿う隙間は、前記第２バッテリの膨張によって狭くなる、
請求項１に記載の電池モジュール。
【発明の詳細な説明】
【技術分野】
【０００１】
本発明の実施形態は、電池モジュールに関する。
【背景技術】
【０００２】
複数のバッテリと、複数のバッテリを収容したケースとを備えた電池モジュールが知られている。
このような電池モジュールは、冷却性能の向上が望まれている。
【先行技術文献】
【特許文献】
【０００３】
【特許文献１】日本国特開２０１４−２２１６６号公報
【特許文献２】日本国特開２０１５−２０１３６９号公報
【発明の概要】
【発明が解決しようとする課題】
【０００４】
本発明が解決しようとする課題は、冷却性能の向上を図ることができる電池モジュールを提供することである。
【課題を解決するための手段】
【０００５】
実施形態の電池モジュールは、第１バッテリと、第２バッテリと、ケースと、スペーサとを持つ。前記第１バッテリおよび前記第２バッテリは、扁平な直方体状のバッテリ本体と、前記バッテリ本体の一端部に設けられた一対の端子とをそれぞれ有する。前記バッテリ本体は、該バッテリ本体の表面のなかで面積が最も広い第１面と、前記第１面よりも面積が狭い第２面とを有する。前記第１バッテリおよび前記第２バッテリは、前記第２面同士を向かい合わせにして配置されている。前記ケースは、前記第１バッテリおよび前記第２バッテリを収容し、前記第１バッテリに比べて前記第２バッテリの近くに通風口を有する。前記スペーサは、前記第１バッテリの前記第１面に沿って設けられている。前記スペーサは、前記第１バッテリの前記第１面のなかで前記一対の端子が離間した方向において前記一対の端子よりも前記第１面の中央部に近い領域に対応して配置されている。前記スペーサは、前記第１バッテリの前記第１面の表面に沿って冷却流体が流れる隙間を前記ケースの内部に保つ。
【図面の簡単な説明】
【０００６】
【図１】第１の実施形態の電池装置を示す斜視図。
【図２】第１の実施形態のバッテリを示す斜視図。
【図３】第１の実施形態のバッテリを示す側面図。
【図４】第１の実施形態の電池装置を示す断面図。
【図５】第２の実施形態の電池装置を示す断面図。
【図６】第３の実施形態の電池装置を示す断面図。
【図７】第４の実施形態の電池装置を示す断面図。
【図８】第４の実施形態のバッテリを示す斜視図。
【図９】第５の実施形態の電池装置を示す断面図。
【図１０】第６の実施形態の電池装置を示す断面図。
【図１１】第７の実施形態の電池装置を示す断面図。
【図１２】実施形態の電池装置の変形例を示す断面図。
【発明を実施するための形態】
【０００７】
以下、実施形態の電池モジュールを、図面を参照して説明する。なお以下の説明では、略同じまたは類似の機能を有する構成に同一の符号を付す。そして、それら構成の重複する説明は省略する場合がある。
【０００８】
（第１の実施形態）
まず、図１から図４を参照して、第１の実施形態について説明する。
図１は、第１の実施形態の電池モジュール１１を含む電池装置１を示す斜視図である。
図１に示すように、本実施形態の電池装置１は、複数のバッテリ（電池セル）２１と、これら複数のバッテリ２１を冷却する冷却構造とを備えた装置である。電池装置１は、例えば、「蓄電池装置」、「組電池装置」、「バッテリ冷却装置」などと称されてもよい。電池装置１は、種々の装置や、機械、設備などに設置され、それら種々の装置、機械、設備などの電源として使用される。例えば、電池装置１は、自動車に搭載される電源のような移動型の電源として使用されてもよく、またはＰＯＳ（Point Of Sales）システムの電源のような固定型の電源として使用されてもよい。
【０００９】
図１に示すように、本実施形態の電池装置１は、電池モジュール（バッテリパック）１１と、吸気ダクト１２と、排気ダクト１３とを備える。
【００１０】
まず、電池モジュール１１について詳しく説明する。
本実施形態の電池モジュール１１は、複数のバッテリ（電池セル）２１と、複数のバスバー２２（図４参照）と、基板２３（図４参照）と、バッテリケース２４と、端子部ケース２５と、複数のスペーサ２６（図４参照）とを有する。
【００１１】
複数のバッテリ２１の各々は、例えばリチウムイオン二次電池である。これに代えて、バッテリ２１は、ニッケル水素電池や、ニッケルカドミウム電池、鉛蓄電池など、他の二次電池であってもよい。
【００１２】
図２は、本実施形態のバッテリ２１を示す斜視図である。図３は、本実施形態のバッテリ２１を示す側面図である。
図２および図３に示すように、各バッテリ２１は、バッテリ本体３１と、一対の端子３２Ａ，３２Ｂとを有する。
【００１３】
バッテリ本体３１は、該バッテリ本体３１の外形を形成するケースＣを有する。ケースＣの内部には、バッテリ２１の構成要素である正極、負極、絶縁フィルム、および電解質などが収容されている。ケースＣは、扁平な直方体状に形成されている。言い換えると、バッテリ本体３１（バッテリ２１）は、扁平な直方体状に形成されている。
【００１４】
詳しく述べると、バッテリ本体３１は、上面３１ａ、下面３１ｂ、一対の第１側面３１ｃ、および一対の第２側面３１ｄを有する。上面３１ａには、一対の端子３２Ａ，３２Ｂが設けられている。下面３１ｂは、上面３１ａとは反対側に位置している。一対の第１側面３１ｃおよび一対の第２側面３１ｄは、上面３１ａおよび下面３１ｂとは略直交する方向に延びており、上面３１ａの縁と下面３１ｂの縁とを繋いでいる。言い換えると、一対の第１側面３１ｃおよび一対の第２側面３１ｄは、ケースＣの上端部（第１端部）と、ケースＣの下端部（第２端部）とを繋ぐ側面である。一対の第１側面３１ｃは、互いに略平行である。一対の第１側面３１ｃの各々は、バッテリ本体３１の表面のなかで面積が最も広い面である。一対の第１側面３１ｃの各々は、「第１面（主面）」の一例である。一方で、一対の第２側面３１ｄは、第１側面３１ｃとは略直交する方向に延びており、一対の第１側面３１ｃの縁同士を繋いでいる。一対の第２側面３１ｄは、互いに略平行である。第２側面３１ｄは、第１側面３１ｃよりも面積が狭い。一対の第２側面３１ｄの各々は、「第２面」の一例である。また、上面３１ａは、「第３面」と称されてもよい。
【００１５】
一対の端子３２Ａ，３２Ｂは、バッテリ本体３１の一端部（上端部）に設けられている。一対の端子３２Ａ，３２Ｂは、正極端子３２Ａと、負極端子３２Ｂとを含む。正極端子３２Ａは、ケースＣ内の正極に電気的に接続されている。負極端子３２Ｂは、ケースＣ内の負極に電気的に接続されている。一対の端子３２Ａ，３２Ｂは、バッテリ本体３１の上面３１ａの長手方向に離間している。
【００１６】
図１に示すように、複数のバッテリ２１は、例えば一対の端子３２Ａ，３２Ｂを同じ方向に向けるとともに、互いに略平行に並べられている。なお、複数のバッテリ２１は、端子３２Ａ，３２Ｂが同じ方向に向いている必要はない。複数のバッテリ２１は、端子３２Ａ，３２Ｂを互いに異なる方向（例えば反対方向）に向けて並べられてもよい。
本実施形態では、複数のバッテリ２１は、第１列Ｌ１に配置された複数（例えば３つ以上）の第１バッテリ２１Ａと、第２列Ｌ２に配置された複数（例えば３つ以上）の第２バッテリ２１Ｂと、第３列Ｌ３に配置された複数（例えば３つ以上）の第３バッテリ２１Ｃとを有する。
【００１７】
第１列Ｌ１は、第２列Ｌ２と第３列Ｌ３との間に位置する。第１列Ｌ１は、別の列Ｌ２，Ｌ３によって両側から挟まれた「中央列」の一例である。第１バッテリ２１Ａは、「中央バッテリ」の一例である。第２列Ｌ２は、複数の列Ｌ１，Ｌ２，Ｌ３のなかで一方の端に位置した「第１端列」の一例である。第２バッテリ２１Ｂは、「第１端バッテリ」の一例である。一方で、第３列Ｌ３は、複数の列Ｌ１，Ｌ２，Ｌ３のなかで他方の端に位置した「第２端列」の一例である。第３バッテリ２１Ｃは、「第２端バッテリ」の一例である。なお、第１バッテリ２１Ａ、第２バッテリ２１Ｂ、および第３バッテリ２１Ｃは、形状、構成、および機能などが互いに略同じである。
【００１８】
図１に示すように、第１列Ｌ１に含まれる複数の第１バッテリ２１Ａは、第１側面３１ｃ同士の間に隙間ｇを空けて第１側面３１ｃ同士を互いに向かい合わせにして配置されている。同様に、第２列Ｌ２に含まれる複数の第２バッテリ２１Ｂは、第１側面３１ｃ同士の間に隙間ｇを空けて第１側面３１ｃ同士を互いに向かい合わせにして配置されている。第３列Ｌ３に含まれる複数の第３バッテリ２１Ｃは、第１側面３１ｃ同士の間に隙間ｇを空けて第１側面３１ｃ同士を互いに向かい合わせにして配置されている。複数の第１バッテリ２１Ａの間に形成された隙間ｇと、複数の第２バッテリ２１Ｂの間に形成された隙間ｇと、複数の第３バッテリ２１Ｃの間に形成された隙間ｇとは、互いに繋がっている。
【００１９】
一方で、第１列Ｌ１に含まれる複数の第１バッテリ２１Ａと、第２列Ｌ２に含まれる複数の第２バッテリ２１Ｂとは、互いの間に隙間を空ける、もしくは絶縁物を間に配し、第２側面３１ｄ同士を互いに向かい合わせにして配置されている。同様に、第１列Ｌ１に含まれる複数の第１バッテリ２１Ａと、第３列Ｌ３に含まれる複数の第３バッテリ２１Ｃとは、互いの間に隙間を空ける、もしくは絶縁物を間に配し、第２側面３１ｄ同士を互いに向かい合わせにして配置されている。
【００２０】
ここで、バッテリケース２４の内面などには、複数のバッテリ２１の間に挿入される突起部などが設けられている。複数のバッテリ２１は、バッテリケース２４に設けられた突起部などによって、互いの間に隙間ｇを空けた状態で保持されている。なお以下では、説明の便宜上、複数のバッテリ２１の間に形成された隙間ｇを「通風隙間ｇ」と称する。通風隙間ｇは、バッテリ本体３１の第１側面３１ａに沿って延びた流体経路（流体流動部）である。
【００２１】
またここで、＋Ｘ方向、−Ｘ方向、Ｙ方向、およびＺ方向について定義する。＋Ｘ方向は、第１列Ｌ１から第２列Ｌ２に向かう方向である。−Ｘ方向は、＋Ｘ方向の反対方向であり、第１列Ｌ１から第３列Ｌ３に向かう方向である。Ｙ方向は、複数のバッテリ２１が第１側面３１ｃ同士を向かい合わせにして並べられた方向である。Ｚ方向は、バッテリ本体３１の下面３１ｂから上面３１ａに向かう方向である。＋Ｘ方向（−Ｘ方向）、Ｙ方向、およびＺ方向は、互いに交差する（例えば略直交する）。各バッテリ２１の上面３１ａおよび下面３１ｂは、＋Ｘ方向およびＹ方向に沿う面である。各バッテリ２１の第１側面３１ｃは、＋Ｘ方向およびＺ方向に沿う面である。各バッテリ２１の第２側面３１ｄは、Ｙ方向およびＺ方向に沿う面である。
【００２２】
図４は、本実施形態の電池装置１の内部構成を示す断面図である。なお図４は、第２バッテリ２１Ｂおよび第３バッテリ２１Ｃが寿命の末期に膨張した状態を模式的に示す。
【００２３】
図４に示すように、複数のバスバー２２は、複数のバッテリ２１の端子３２Ａ，３２Ｂに接続されている。複数のバスバー２２は、「電気接続部」の一例である。複数のバスバー２２は、複数のバッテリ２１の端子３２Ａ，３２Ｂ同士を電気的に接続している。例えば、バスバー２２は、あるバッテリ２１の正極端子３２Ａと、別のバッテリ２１の負極端子３２Ｂとを電気的に接続している。これにより、複数のバッテリ２１は、電気的に直列または並列に接続されている。
【００２４】
基板（回路基板）２３は、例えば、バッテリ２１の電圧や温度を監視する監視基板である。なお基板２３は、バッテリ２１の充放電を制御する制御基板でもよく、その他の機能を有する基板でもよい。
【００２５】
次に、バッテリケース２４について説明する。
図１および図４に示すように、バッテリケース（バッテリボックス、第１ケース）２４は、一方が開放された箱状に形成され、第１列Ｌ１、第２列Ｌ２、および第３列Ｌ３に含まれる複数のバッテリ２１のバッテリ本体３１を一体に収容している。バッテリケース２４は、下壁２４ａ、第１側壁２４ｂ、第２側壁２４ｃ、第３側壁２４ｄ，および第４側壁２４ｅを有する。下壁２４ａは、＋Ｘ方向およびＹ方向に沿う壁である。下壁２４ａは、複数のバッテリ２１の下面３１ｂに面する。４つの側壁２４ｂ，２４ｃ，２４ｄ，２４ｅは、下壁２４ａの縁からＺ方向に延びている。第１側壁２４ｂおよび第２側壁２４ｃは、＋Ｘ方向に互いに離間するとともに、Ｙ方向に沿って互いに略平行に延びている。第１側壁２４ｂは、第２列Ｌ２に含まれる複数の第２バッテリ２１Ｂの第２側面３１ｄに面している。第２側壁２４ｃは、複数のバッテリ２１に対して第１側壁２４ｂとは反対側に位置する。第２側壁２４ｃは、第３列Ｌ３に含まれる複数の第３バッテリ２１Ｃの第２側面３１ｄに面している。第３側壁２４ｄおよび第４側壁２４ｅは、Ｙ方向に互いに離間するとともに、＋Ｘ方向に沿って互いに略平行に延びている。第３側壁２４ｄおよび第４側壁２４ｅは、第１列Ｌ１、第２列Ｌ２、および第３列Ｌ３に含まれる複数のバッテリ２１の第１側面３１ｃに面している。
【００２６】
図４に示すように、バッテリケース２４の下壁２４ａは、通風隙間ｇに面する吸気口４１を有する。吸気口４１は、バッテリケース２４の外部からバッテリケース２４の内部に冷却流体（冷媒、例えば空気）を流入させる。吸気口４１は、「第２通風口」の一例である。吸気口４１は、複数のバッテリ２１に対して端子部ケース２５とは反対側に位置して、バッテリケース２４の内部に開口している。吸気口４１は、Ｚ方向に開口している。吸気口４１は、例えば＋Ｘ方向に沿う長方形状のスロットである。ただし、吸気口４１の形状は、上記例に限らない。
【００２７】
本実施形態では、バッテリケース２４の下壁２４ａは、第１領域４５ａ、第２領域４５ｂ、および第３領域４５ｃを有する。第１領域４５ａは、第１列Ｌ１に含まれる複数の第１バッテリ２１Ａが配置される領域である。第２領域４５ｂは、第２列Ｌ２に含まれる複数の第２バッテリ２１Ｂが配置される領域である。第３領域４５ｃは、第３列Ｌ３に含まれる複数の第３バッテリ２１Ｃが配置される領域である。本実施形態では、第１領域４５ａ、第２領域４５ｂ、および第３領域４５ｃの各々は、少なくとも１つの吸気口４１を有する。第１領域４５ａに設けられた吸気口４１の少なくとも一部は、第２バッテリ２１Ｂおよび第３バッテリ２１Ｃに比べて第１バッテリ２１Ａの近くに位置する。一方で、第２領域４５ｂに設けられた吸気口４１の少なくとも一部は、第１バッテリ２１Ａに比べて第２バッテリ２１Ｂの近くに位置する。同様に、第３領域４５ｃに設けられた吸気口４１の少なくとも一部は、第１バッテリ２１Ａに比べて第３バッテリ２１Ｃの近くに位置する。なお、吸気口４１は、第１領域４５ａ、第２領域４５ｂ、および第３領域４５ｃの少なくとも２つ以上の領域に亘って形成されてもよい。
一方で、バッテリケース２４の下壁２４ａは、バッテリ２１に面する位置には吸気口４１を有しない。すなわち、バッテリ２１の下面３１ｂは、バッテリケース２４の下壁２４ａによって覆われている。
【００２８】
また、バッテリケース２４の第１側壁２４ｂは、通風隙間ｇに面する第１排気口４２Ａを有する。第１排気口４２Ａは、バッテリケース２４の内部からバッテリケース２４の外部に冷却流体を流出させる。第１排気口４２Ａは、「第１通風口」の一例である。第１排気口４２Ａは、＋Ｘ方向に開口している。すなわち、第１排気口４２Ａは、端子部ケース２５および吸気口４１とは異なる方向からバッテリケース２４の内部に開口している。第１排気口４２Ａは、第１バッテリ２１Ａに比べて第２バッテリ２１Ｂの近くに位置する。
同様に、バッテリケース２４の第２側壁２４ｃは、通風隙間ｇに面する第２排気口４２Ｂを有する。第２排気口４２Ｂは、バッテリケース２４の内部からバッテリケース２４の外部に冷却流体を流出させる。第２排気口４２Ｂは、−Ｘ方向に開口している。第２排気口４２Ｂは、第１排気口４２Ａとは反対側から通風隙間ｇに面する。また、第２排気口４２Ｂは、端子部ケース２５および吸気口４１とは異なる方向からバッテリケース２４の内部に開口している。第２排気口４２Ｂは、第１バッテリ２１Ａに比べて第３バッテリ２１Ｃの近くに位置する。
【００２９】
第１排気口４２Ａおよび第２排気口４２Ｂの各々は、例えばＺ方向に沿う長方形状のスロットである。ただし、排気口４２Ａ，４２Ｂの形状は、上記例に限らない。一方で、バッテリケース２４の第１側壁２４ｂは、第２バッテリ２１Ｂに面する位置には第１排気口４２Ａを有しない。すなわち、第２バッテリ２１Ｂの第２側面３１ｄは、バッテリケース２４の第１側壁２４ｂによって覆われている。同様に、バッテリケース２４の第２側壁２４ｃは、第３バッテリ２１Ｃに面する位置には第２排気口４２Ｂを有しない。すなわち、第３バッテリ２１Ｃの第２側面３１ｄは、バッテリケース２４の第２側壁２４ｃによって覆われている。なお、バッテリケース２４の他の側壁２４ｄ，２４ｅは、吸気口４１および排気口４２Ａ，４２Ｂのいずれも有しない。
【００３０】
次に、端子部ケース２５について説明する。
図１に示すように、端子部ケース２５（端子ボックス、第２ケース）は、バッテリケース２４と組み合わされ、バッテリケース２４の内部空間（収容部）を閉じている。詳しく述べると、端子部ケース２５は、Ｚ方向に薄い扁平な箱状に形成されている。端子部ケース２５は、＋Ｘ方向およびＹ方向の外形がバッテリケース２４と略同じである。端子部ケース２５は、バッテリケース２４の下壁２４ａとは反対側からバッテリケース２４に取り付けられ、バッテリケース２４の内部空間を覆っている。端子部ケース２５は、結合具または接着剤などによってバッテリケース２４に連結されている。本実施形態では、バッテリケース２４と端子部ケース２５とが組み合わされることで、複数のバッテリ２１を収容するケース２９が形成されている。すなわち、ケース２９とは、バッテリケース２４と端子部ケース２５とを一体に見做した部材である。
【００３１】
ここで、端子部ケース２５についてさらに詳しく述べる。端子部ケース２５は、上壁２５ａ、第１側壁２５ｂ、第２側壁２５ｃ、第３側壁２５ｄ、第４側壁２５ｅ、および仕切壁２５ｆ（図４参照）を有する。上壁２５ａは、バッテリケース２４とは反対側に向いている。４つの側壁２５ｂ，２５ｃ，２５ｄ，２５ｅは、上壁２５ａの縁からＺ方向に沿って延びている。第１側壁２５ｂおよび第２側壁２５ｃは、＋Ｘ方向に互いに離間するとともに、Ｙ方向に沿って互いに略平行に延びている。第３側壁２５ｄおよび第４側壁２５ｅは、Ｙ方向に互いに離間するとともに、＋Ｘ方向に沿って互いに略平行に延びている。
【００３２】
図４に示すように、端子部ケース２５の仕切壁（仕切板）２５ｆは、バッテリケース２４と端子部ケース２５との境界部に位置する。仕切壁２５ｆは、＋Ｘ方向およびＹ方向に沿う平壁である。仕切壁２５ｆは、複数のバッテリ２１の端子３２Ａ，３２Ｂが通される複数の挿通穴４７を有する。複数のバッテリ２１の端子３２Ａ，３２Ｂは、仕切壁２５ｆの挿通穴４７に通されて、端子部ケース２５の内部に露出している。端子部ケース２５の内部には、複数のバスバー２２および基板２３が収容されている。複数のバッテリ２１の端子３２Ａ，３２Ｂは、端子部ケース２５に収容された複数のバスバー２２によって電気的に接続されている。
【００３３】
一方で、仕切壁２５ｆは、通風隙間ｇに面する位置には穴を有しない。仕切壁２５ｆは、複数のバッテリ２１の間に形成された複数の通風隙間ｇに面し、これら複数の通風隙間ｇを一体に覆っている。つまり、仕切壁２５ｆは、複数の通風隙間ｇを一方から覆っている。言い換えると、複数の通風隙間ｇは、Ｚ方向が仕切壁２５ｆによって塞がれている。
【００３４】
次に、スペーサ２６について説明する。
図４に示すように、複数のスペーサ２６は、バッテリケース２４の内部において、第１列Ｌ１に配置された複数の第１バッテリ２１Ａの第１側面３１ｃに沿って設けられている。言い換えると、スペーサ２６は、第１バッテリ２１Ａの第１側面３１ｃに沿う通風隙間ｇに配置されている。スペーサ２６は、下壁２４ａの第１領域４５ａに設けられた吸気口４１に面している。
【００３５】
より詳しく述べると、複数のスペーサ２６に含まれる少なくとも１つのスペーサ２６は、複数の第１バッテリ２１Ａの間に配置されている。すなわち、スペーサ２６は、複数の第１バッテリ２１Ａの第１側面３１ｃ同士の間に形成された通風隙間ｇに配置されている。また、複数のスペーサ２６に含まれる別の少なくとも１つのスペーサ２６は、第１バッテリ２１Ａとバッテリケース２４の内面との間に配置されている。すなわち、スペーサ２６は、第１バッテリ２１Ａの第１側面３１ｃとバッテリケース２４の内面との間に形成された通風隙間ｇに配置されている。
【００３６】
スペーサ２６は、例えば第１バッテリ２１Ａが膨張しようとする場合に、複数の第１バッテリ２１Ａの第１側面３１ｃ同士の間、または第１バッテリ２１Ａの第１側面３１ｃとバッテリケース２４の内面との間に挟まれることで、第１バッテリ２１Ａの膨張を抑制する。これにより、スペーサ２６は、第１バッテリ２１Ａの第１側面３１ｃの表面に沿って冷却流体が流れる通風隙間ｇをケース２９（バッテリケース２４）の内部に保つ。スペーサ２６は、例えば合成樹脂製であり、複数の部材の間に挟まれても一定の厚さを保つ剛性を有するとともに、絶縁性（電気絶縁性）を有する。なお、スペーサ２６は、第１バッテリ２１Ａの第１側面３１ｃやバッテリケース２４の内面に固定されている必要は無い。さらに言えば、スペーサ２６は、第１バッテリ２１Ａが膨張していない状態で、第１バッテリ２１Ａの第１側面３１ｃやバッテリケース２４の内面に接していなくてもよい。
【００３７】
図４に示すように、複数のスペーサ２６の各々は、第１バッテリ２１Ａの第１側面３１ｃのなかで、一対の端子３２Ａ，３２Ｂが離間した方向（＋Ｘ方向）において、一対の端子３２Ａ，３２Ｂよりも第１側面３１ｃの中央部に近い領域Ｓに対応して配置されている。なお本願で言う「一対の端子が離間した方向（＋Ｘ方向）において、一対の端子よりも第１側面の中央部に近い領域」とは、＋Ｘ方向において前記領域Ｓと一対の端子３２Ａ，３２Ｂとが重なることを意味するものではなく、Ｘ方向に関する位置において、一対の端子３２Ａ，３２Ｂの内側に位置する領域Ｓ（図３中にてハッチングが施された領域）を意味する。また「領域Ｓに対応して配置されている」とは、スペーサ２６の少なくとも一部が領域Ｓに面していることを意味する。
【００３８】
また本実施形態では、スペーサ２６は、端子部ケース２５から離れた位置に設けられている。これにより、スペーサ２６と端子部ケース２５との間には、冷却流体が通る隙間が形成されている。同様に、スペーサ２６は、バッテリケース２４の下壁２４ａから離れた位置に設けられている。これにより、スペーサ２６とバッテリケース２４の下壁２４ａとの間には、冷却流体が通る隙間が形成されている。また、スペーサ２６は、第２バッテリ２１Ｂおよび第３バッテリ２１Ｃから離れた位置に設けられている。これにより、スペーサ２６と第２バッテリ２１Ｂとの間、およびスペーサ２６と第３バッテリ２１Ｃとの間には、冷却流体が通る隙間が形成されている。
【００３９】
本実施形態では、各スペーサ２６は、複数（例えば３つ以上）のスペーサ部材（間隔片）５１によって形成されている。複数のスペーサ部材５１は、第１バッテリ２１Ａと第２バッテリ２１Ｂとが並ぶ方向（すなわち、第１バッテリ２１Ａから第２バッテリ２１Ｂに向かう方向、＋Ｘ方向）で互いに離間して配置されている。各スペーサ部材５１の少なくとも一部は、第１バッテリ２１Ａと第２バッテリ２１Ｂとが並ぶ方向（＋Ｘ方向）とは交差する方向に沿う直線状に延びている。本実施形態では、各スペーサ部材５１の少なくとも一部は、吸気口４１から端子部ケース２５に向かう方向（Ｚ方向）に沿う直線状に延びている。これにより、スペーサ２６は、吸気口４１から端子部ケース２５に向けて冷却流体が流れる流路を形成している。本実施形態では、複数のスペーサ部材５１は、少なくとも一部が互いに略平行に延びている。本実施形態では、各スペーサ部材５１は、該スペーサ部材５１の全長に亘ってＺ方向に延びている。例えば、各スペーサ部材５１は、Ｚ方向に延びた角柱状の部材である。
【００４０】
一方で、第２バッテリ２１Ｂおよび第３バッテリ２１Ｃの第１側面３１ｃに沿う通風隙間ｇには、スペーサが設けられていない。別の観点で見ると、第２バッテリ２１Ｂおよび第３バッテリ２１Ｃは、第２バッテリ２１Ｂおよび第３バッテリ２１Ｃが膨張しようとする場合に、第２バッテリ２１Ｂおよび第３バッテリ２１Ｃの第１側面３１ｃに沿う通風隙間ｇが狭くなるように膨張することが許容されている。言い換えると、第２バッテリ２１Ｂおよび第３バッテリ２１Ｃが膨張する場合、第２バッテリ２１Ｂおよび第３バッテリ２１Ｃの第１側面３１ｃは、凸状に膨らむ膨らみ部Ｅを形成する。
【００４１】
次に、吸気ダクト１２および排気ダクト１３について説明する。
図４に示すように、吸気ダクト１２の少なくとも一部は、Ｚ方向でバッテリケース２４の下壁２４ａに重なる。吸気ダクト１２は、バッテリケース２４の下壁２４ａの吸気口４１を通じてバッテリケース２４の内部に連通している。吸気ダクト１２は、該吸気ダクト１２の内部を通る冷却流体を、バッテリケース２４の吸気口４１からバッテリケース２４の内部に供給する。
【００４２】
排気ダクト１３は、例えば、第１排気流路（第１通風流路）１３ａと、第２排気流路（第２通風流路）１３ｂとを有する。第１排気流路１３ａは、−Ｘ方向でバッテリケース２４の第１側壁２４ｂに重なる。第１排気流路１３ａは、バッテリケース２４の第１排気口４２Ａを通じてバッテリケース２４の内部に連通している。バッテリケース２４の内部を通った冷却流体の一部は、バッテリケース２４の第１排気口４２Ａから第１排気流路１３ａに流入する。一方で、第２排気流路１３ｂは、＋Ｘ方向でバッテリケース２４の第２側壁２４ｃに重なる。第２排気流路１３ｂは、バッテリケース２４の第２排気口４２Ｂを通じてバッテリケース２４の内部に連通している。バッテリケース２４の内部を通った冷却流体の別の一部は、バッテリケース２４の第２排気口４２Ｂから第２排気流路１３ｂに流入する。第１排気流路１３ａおよび第２排気流路１３ｂは、該第１排気流路１３ａおよび第２排気流路１３ｂに流入した冷却流体を電池モジュール１１の外部に向けて案内する。
【００４３】
次に、電池装置１の作用について説明する。
バッテリ２１の充電時や放電時には、吸気ダクト１２に冷却流体が供給される。吸気ダクト１２に供給された冷却流体は、バッテリケース２４の吸気口４１から複数のバッテリ２１の間の通風隙間ｇに流入する。通風隙間ｇに流入した冷却流体は、通風隙間ｇを通過する過程でバッテリ２１の第１側面３１ｃに直接に接してバッテリ２１から熱を奪う。これにより、バッテリ２１の冷却が促進される。そして、通風隙間ｇを通過した冷却流体は、バッテリケース２４の第１排気口４２Ａおよび第２排気口４２Ｂから第１排気流路１３ａおよび第２排気流路１３ｂに流入する。第１排気流路１３ａおよび第２排気流路１３ｂに流入した冷却流体は、電池モジュール１１の外部に向けて流れる。
【００４４】
ここで図４に示すように、例えばバッテリ２１の寿命末期では、バッテリ２１の内部に生じたガスによってバッテリ２１が膨張し、バッテリ２１の第１側面３１ｃが太鼓状（凸状）に膨れる。本実施形態では、膨張が許容される状態で配置された第２バッテリ２１Ｂおよび第３バッテリ２１Ｃの第１側面３１ｃが膨らむ。そして、膨張によって第２バッテリ２１Ｂおよび第３バッテリ２１Ｃの第１側面３１ｃに形成された膨らみ部Ｅによって、第２バッテリ２１Ｂおよび第３バッテリ２１Ｃの第１側面３１ｃに沿う通風隙間ｇが狭くなる。
【００４５】
一方で、第１バッテリ２１Ａの第１側面３１ｃに沿う通風隙間ｇには、スペーサ２６が設けられている。このため、第１バッテリ２１Ａの第１側面３１ｃが膨らもうとしても、第１バッテリ２１Ａの第１側面３１ｃの膨らみはスペーサ２６によって制限される。すなわち、第１バッテリ２１Ａの第１側面３１ｃに沿う通風隙間ｇは、スペーサ２６によって保たれる。このため、吸気口４１からバッテリケース２４の内部に流入した冷却流体の一部は、第１バッテリ２１Ａの第１側面３１ｃに沿って流れる。そして、第１バッテリ２１Ａの第１側面３１ｃに沿って流れた冷却流体は、第２バッテリ２１Ｂの膨らみ部Ｅと端子部ケース２５との間の隙間や、第３バッテリ２１Ｃの膨らみ部Ｅと端子部ケース２５との間の隙間などを通じて第１排気口４２Ａおよび第２排気口４２Ｂからバッテリケース２４の外部に排気される。
【００４６】
このような構成の電池モジュール１１によれば、冷却性能を高めることができる。すなわち、例えばバッテリ２１の寿命末期では、バッテリ２１が膨張して第１側面３１ｃが太鼓状に膨れる場合がある。この場合、バッテリ２１の第１側面３１ｃに面する通風隙間ｇが狭くなる。場合によっては、バッテリ２１の第１側面３１ｃの中央部において通風隙間ｇが閉塞される。これらの場合、バッテリ２１の周囲において流路断面積が小さくなり、通風抵抗が増加する。このため、バッテリケース２４の内部では、第２バッテリ２１Ｂおよび第３バッテリ２１Ｃの周囲を通過する冷却流体の流れ（例えば第２領域４５ｂおよび第３領域４５ｃの吸気口４１から第２バッテリ２１Ｂおよび第３バッテリ２１Ｃの端部近傍を通過して排気口４２Ａ，４２Ｂに向かう短絡流れ、図４中の矢印Ｆの流れ）が増加し、第１バッテリ２１Ａの周囲には冷却流体が流れにくくなる。その結果、第２バッテリ２１Ｂおよび第３バッテリ２１Ｃに比べて第１バッテリ２１Ａの温度が大きく上昇し、電池モジュール１１の冷却性能が低下する。なお本願で言う「冷却性能」とは、バッテリ２１の最大温度（Ｋ）をバッテリ２１の発熱量（Ｗ）で除算することで得られる熱抵抗（Ｋ／Ｗ）に基づいて評価される指標である。すなわち、バッテリ２１の寿命末期では、電池モジュール１１の熱抵抗が増加するため、冷却性能が低下する。
【００４７】
そこで本実施形態の電池モジュール１１は、第１バッテリ２１Ａの第１側面３１ｃに沿って設けられ、第１バッテリ２１Ａの第１側面３１ｃの表面に沿って冷却流体が流れる隙間ｇをケース２９の内部に保つスペーサ２６を備える。このような構成によれば、第１バッテリ２１Ａが膨張しようとする場合でも、第１バッテリ２１Ａの第１側面３１ｃに沿う通風隙間ｇは、スペーサ２６によって保たれる。このため、第１バッテリ２１Ａの周囲において流路断面積の減少を抑制することができ、第１バッテリ２１Ａの周囲に向かう冷却流体が減少することを抑制することができる。これにより、第２バッテリ２１Ｂに比べて第１バッテリ２１Ａの温度が大きく上昇することを抑制することができ、電池モジュール１１の冷却性能の向上を図ることができる。
【００４８】
本実施形態では、スペーサ２６は、第１バッテリ２１Ａの第１側面３１ｃのなかで一対の端子３２Ａ，３２Ｂが離間した方向において一対の端子３２Ａ，３２Ｂよりも第１側面３１ｃの中央部に近い領域Ｓに対応して配置されている。このような構成によれば、太鼓状（凸状）に変形しようとする第１側面３１ｃの中央部をスペーサ２６によって確実に押さえることができる。これにより、第１バッテリ２１Ａの第１側面３１ｃに沿う通風隙間ｇをより確実に保つことができる。
【００４９】
本実施形態では、ケース２９は、第１バッテリ２１Ａと第２バッテリ２１Ｂとが並ぶ方向とは交差する方向からケース２９の内部に開口した吸気口４１を有する。冷却流体は、吸気口４１と、排気口４２Ａ，４２Ｂとの間で流れる。吸気口４１の少なくとも一部は、第２バッテリ２１Ｂよりも第１バッテリ２１Ａの近くに位置してスペーサ２６に面する。このような構成によれば、第１バッテリ２１Ａの周囲に冷却流体をよりスムーズに供給することができる。これにより、電池モジュール１１の冷却性能の向上をさらに図ることができる。
【００５０】
本実施形態では、スペーサ２６の少なくとも一部は、第１バッテリ２１Ａと第２バッテリ２１Ｂとが並ぶ方向とは交差する方向に延びている。このような構成によれば、膨らみ部Ｅが形成される第２バッテリ２１Ｂとは異なる方向に向けて、冷却流体をよりスムーズに導くことができる。これにより、第１バッテリ２１Ａの周囲に向かう冷却流体の量をさらに増やすことができる。
【００５１】
本実施形態では、スペーサ２６は、複数の第１バッテリ２１Ａの間に配置されている。このような構成によれば、複数の第１バッテリ２１Ａの間に形成される通風隙間ｇをスペーサ２６によって保つことができる。
また、本実施形態では、スペーサ２６は、第１バッテリ２１Ａとバッテリケース２４の内面との間に配置されている。このような構成によれば、第１バッテリ２１Ａとバッテリケース２４の内面との間に形成される通風隙間ｇをスペーサ２６によって保つことができる。
【００５２】
本実施形態では、スペーサ２６は、互いに離間して配置された複数のスペーサ部材５１を含む。このような構成によれば、複数のスペーサ部材５１の間に冷却流体が流れる流路を確実に保つことができる。また、複数のスペーサ部材５１が第１バッテリ２１Ａと第２バッテリ２１Ｂとが並ぶ方向において互いに離間していると、膨らみ部Ｅが形成される第２バッテリ２１Ｂとは異なる方向に向けて、冷却流体をよりスムーズに導くことができる。これにより、第１バッテリ２１Ａの周囲に向かう冷却流体の量をさらに増やすことができる。
【００５３】
本実施形態では、複数のスペーサ部材５１の各々は、少なくとも一部が第１バッテリ２１Ａと第２バッテリ２１Ｂとが並ぶ方向とは交差する方向に沿って延びている。このような構成によれば、膨らみ部Ｅが形成される第２バッテリ２１Ｂとは異なる方向に向けて、冷却流体をさらにスムーズに導くことができる。
【００５４】
本実施形態では、第２バッテリ２１Ｂおよび第３バッテリ２１Ｃの第１側面３１ｃに沿う通風隙間ｇには、スペーサが設けられていない。別の観点で見ると、第１バッテリ２１Ａ、第２バッテリ２１Ｂ、および第３バッテリ２１Ｃが膨張しようとする場合に、第１バッテリ２１Ａの第１側面３１ｃに沿う通風隙間ｇがスペーサ２６によって保たれる一方で、第２バッテリ２１Ｂおよび第３バッテリ２１Ｃの第１側面３１ｃに沿う通風隙間ｇは、第２バッテリ２１Ｂおよび第３バッテリ２１Ｃの膨張によって狭くなる。このような構成によれば、第２バッテリ２１Ｂおよび第３バッテリ２１Ｃが膨張し、バッテリケース２４内の通風抵抗が増加する場合に、第２バッテリ２１Ｂおよび第３バッテリ２１Ｃの第１側面３１ｃに沿う通風隙間ｇを敢えて狭くすることで、相対的により多くの冷却流体を第１バッテリ２１Ａに向けて流すことができる。なお、第２バッテリ２１Ｂおよび第３バッテリ２１Ｃが膨張してバッテリケース２４内の通風抵抗が増加する場合には、例えば吸気口４１から第２バッテリ２１Ｂおよび第３バッテリ２１Ｃの端部近傍を通って排気口４２Ａ，４２Ｂに向かう短絡流れ（図４中の矢印Ｆの流れ）が増加するため、第２バッテリ２１Ｂおよび第３バッテリ２１Ｃの第１側面３１ｃに沿う通風隙間ｇが狭くなっても、第２バッテリ２１Ｂおよび第３バッテリ２１Ｃの放熱性を十分に確保することができる。これにより、電池モジュール１１の全体としての冷却性能を向上させることができる。
【００５５】
（第２の実施形態）
次に、図５を参照して、第２の実施形態について説明する。本実施形態は、複数のスペーサ部材５１が放射状に配置された点で、第１の実施形態とは異なる。なお、本実施形態のその他の構成は、第１の実施形態の構成と同様である。
【００５６】
図５に示すように、複数のスペーサ部材５１は、吸気口４１から離れる方向に進むに従い、互いに間の間隔が広くなる放射状に配置されている。複数のスペーサ部材５１に含まれる少なくとも１つのスペーサ部材５１は、Ｚ方向に対して、吸気口４１から離れる方向に進むに従い第１排気口４２Ａに近付く方向に傾いている。一方で、複数のスペーサ部材５１に含まれる他の少なくとも１つの別のスペーサ部材５１は、Ｚ方向に対して、吸気口４１から離れる方向に進むに従い第２排気口４２Ｂに近付く方向に傾いている。
【００５７】
このような構成によれば、第１の実施形態と同様に、電池モジュール１１の冷却性能の向上を図ることができる。また本実施形態では、複数のスペーサ部材５１が放射状に配置されているため、第１バッテリ２１Ａの周囲における通風抵抗がさらに低減されている。このため、第１バッテリ２１Ａの周囲に向かう冷却流体の量をさらに増加させることができ、電池モジュール１１の冷却性能の向上をさらに図ることができる。
【００５８】
また、スペーサ部材５１が第１排気口４２Ａまたは第２排気口４２Ｂに向けて傾いていると、吸気口４１から第１バッテリ２１Ａの第１側面３１ｃに沿って流れた冷却流体が第１排気口４２Ａまたは第２排気口４２Ｂに向けてよりスムーズに流れることができる。このため、第１バッテリ２１Ａの周囲に向かう冷却流体の量をさらに増加させることができ、電池モジュール１１の冷却性能の向上をさらに図ることができる。
【００５９】
（第３の実施形態）
次に、図６を参照して、第３の実施形態について説明する。本実施形態は、複数のスペーサ部材５１の各々が折れ曲がった形状を有する点で、第１の実施形態とは異なる。なお、本実施形態のその他の構成は、第１の実施形態の構成と同様である。
【００６０】
図６に示すように、複数のスペーサ部材５１の各々は、第１部分５１ａと、第２部分５１ｂとを有する。第１部分５１ａは、第１バッテリ２１Ａと第２バッテリ２１Ｂとが並ぶ方向とは交差する方向（Ｚ方向）に沿って直線状に延びている。一方で、第２部分５１ｂは、風の流れ方向における第１部分５１ａの下流側の端部から折れ曲がり、第１部分５１ａに対して交差する方向に沿って直線状に延びている。例えば、複数のスペーサ部材５１は、第１スペーサ部材５１Ａと、第２スペーサ部材５１Ｂとを有する。第１スペーサ部材５１Ａの第２部分５１ｂは、第１スペーサ部材５１Ａの第１部分５１ａの端部から第１排気口４２Ａに近付く方向に折れ曲がって延びている。一方で、第２スペーサ部材５１Ｂの第２部分５１ｂは、第２スペーサ部材５１Ｂの第１部分５１ａの端部から第２排気口４２Ｂに近付く方向に折れ曲がって延びている。
【００６１】
このような構成によれば、第１の実施形態と同様に、電池モジュール１１の冷却性能の向上を図ることができる。また本実施形態では、スペーサ２６（例えば第１スペーサ部材５１Ａ）は、第１バッテリ２１Ａと第２バッテリ２１Ｂとが並ぶ方向とは交差する方向に延びた第１部分５１ａと、第１部分５１ａの端部から第１排気口４２Ａに近付く方向に折れ曲がって延びた第２部分５１ｂとを含む。このような構成によれば、スペーサ２６に沿う流れが第１排気口４２Ａに向かってほぼ直角に曲がることが少なくなり、第１バッテリ２１Ａの周囲の通風抵抗を低減することができる。これにより、電池モジュール１１の冷却性能の向上をさらに図ることができる。
【００６２】
また、上述したように、スペーサ２６（例えば第１スペーサ部材５１Ａ）が第１部分５１ａと、第１部分５１ａに対して折れ曲がった第２部分５１ｂとを有すると、例えば第１バッテリ２１Ａの第１側面３１ｃに対してスペーサ２６を取り付ける作業を行う場合に、第１バッテリ２１Ａの第１側面３１ｃに対してスペーサ２６の姿勢が安定する（例えば倒れにくくなる）。このため、組立作業性が良好な電池モジュール１１を提供することができる。
【００６３】
（第４の実施形態）
次に、図７および図８を参照して、第４の実施形態について説明する。本実施形態は、第２バッテリ２１Ｂおよび第３バッテリ２１Ｃが絶縁フィルム６１を有する点で、第１の実施形態とは異なる。なお、本実施形態のその他の構成は、第１の実施形態の構成と同様である。
【００６４】
図７は、本実施形態の電池装置１を示す断面図である。図８は、本実施形態のバッテリ２１を示す斜視図である。
図８に示すように、本実施形態では、第２バッテリ２１Ｂおよび第３バッテリ２１Ｃは、少なくとも第１側面３１ｃを覆う絶縁フィルム６１を有する。例えば、第２バッテリ２１Ｂおよび第３バッテリ２１Ｃの各々のバッテリ本体３１は、袋状の絶縁フィルム６１の内側に挿入される。そして、絶縁フィルム６１は、熱処理が行われることで収縮し、第２バッテリ２１Ｂおよび第３バッテリ２１Ｃの各々のバッテリ本体３１の表面に密着する。これにより、第２バッテリ２１Ｂおよび第３バッテリ２１Ｃのバッテリ本体３１が絶縁フィルム６１によって巻装されている。なお、第１バッテリ２１Ａは、絶縁フィルム６１を有してもよく、有しなくてもよい。
【００６５】
このような構成によれば、第１の実施形態と同様に、電池モジュール１１の冷却性能の向上を図ることができる。ここで、互いに隣り合う複数のバッテリ２１は、表面の電位が異なる場合がある。そこで本実施形態では、第２バッテリ２１Ｂおよび第３バッテリ２１Ｃの各々は、第１側面３１ｃを覆う絶縁フィルム６１を有する。このような構成によれば、第２バッテリ２１Ｂおよび第３バッテリ２１Ｃが膨張し、第２バッテリ２１Ｂおよび第３バッテリ２１Ｃの第１側面３１ｃが隣のバッテリ２１に接触する場合であっても、短絡が生じない。このため、電池モジュール１１の信頼性が高められている。また、絶縁フィルム６１は、例えば数十μｍの厚さである。このため、第２バッテリ２１Ｂおよび第３バッテリ２１Ｃは、絶縁フィルム６１によって表面が覆われた状態でも、絶縁フィルム６１を通して十分に放熱することができる。
【００６６】
（第５の実施形態）
次に、図９を参照して、第５の実施形態について説明する。本実施形態は、電池モジュール１１が複数の絶縁板６５を有する点で、第１の実施形態とは異なる。なお、本実施形態のその他の構成は、第１の実施形態の構成と同様である。
【００６７】
図９に示すように、本実施形態では、電池モジュール１１は、複数の絶縁板６５を有する。絶縁板６５は、第２バッテリ２１Ｂまたは第３バッテリ２１Ｃの第１側面３１ｃに沿って配置されている。すなわち、絶縁板６５は、複数の第２バッテリ２１Ｂの第１側面３１ｃ同士の間、および複数の第３バッテリ２１Ｃの第１側面３１ｃ同士の間に配置されている。絶縁板６５は、第２バッテリ２１Ｂまたは第３バッテリ２１Ｃの第１側面３１ｃの中央部に面している。絶縁板６５は、第２バッテリ２１Ｂおよび第３バッテリ２１Ｃの第１側面３１ｃに面する通風隙間ｇのＹ方向の幅よりも薄い。このため、電池モジュール１１の通常使用時では、絶縁板６５は、第２バッテリ２１Ｂおよび第３バッテリ２１Ｃの第１側面３１ｃに沿う通風隙間ｇを閉塞しない。
【００６８】
このような構成によれば、第１の実施形態と同様に、電池モジュール１１の冷却性能の向上を図ることができる。本実施形態では、電池モジュール１１は、第２バッテリ２１Ｂまたは第３バッテリ２１Ｃの第１側面３１ｃに沿って配置された絶縁板６５を有する。このような構成によれば、第２バッテリ２１Ｂおよび第３バッテリ２１Ｃが膨張し、第２バッテリ２１Ｂおよび第３バッテリ２１Ｃの第１側面３１ｃが隣のバッテリ２１に接触しようとする場合であっても、短絡が生じない。このため、電池モジュール１１の信頼性が高められている。また、絶縁板６５は、例えば０．３ｍｍ〜０．５ｍｍ程度の厚さである。このため、第２バッテリ２１Ｂおよび第３バッテリ２１Ｃは、絶縁板６５によって表面が覆われた状態でも、絶縁板６５を通して十分に放熱することができる。
【００６９】
（第６の実施形態）
次に、図１０を参照して、第６の実施形態について説明する。本実施形態は、複数のバッテリ２１が２列に分かれて配置された点で、第１の実施形態とは異なる。なお、本実施形態のその他の構成は、第１の実施形態の構成と同様である。
【００７０】
図１０に示すように、本実施形態では、複数のバッテリ２１は、第１列Ｌ１に配置された複数の第１バッテリ２１Ａと、第２列Ｌ２に配置された複数の第２バッテリ２１Ｂとを含む。排気口４２Ａおよび排気ダクト１３は、複数のバッテリ２１に対して一方の側のみに設けられている。本実施形態では、排気口４２Ａおよび排気ダクト１３は、第１バッテリ２１Ａに比べて第２バッテリ２１Ｂに近い。
【００７１】
このような構成によれば、第１の実施形態と同様に、電池モジュール１１の冷却性能の向上を図ることができる。
【００７２】
（第７の実施形態）
次に、図１１を参照して、第７の実施形態について説明する。本実施形態は、複数のバッテリ２１が４列に分かれて配置された点で、第１の実施形態とは異なる。なお、本実施形態のその他の構成は、第１の実施形態の構成と同様である。
【００７３】
図１１に示すように、本実施形態では、複数のバッテリ２１は、第１中央列ＣＬ１に配置された複数の第１バッテリ２１Ａと、第２中央列ＣＬ２に配置された複数の第１バッテリ２１Ａと、第１端列ＥＬ１に配置された複数の第２バッテリ２１Ｂと、第２端列ＥＬ２に配置された複数の第３バッテリ２１Ｃとを有する。第１排気口４２Ａおよび第１排気流路１３ａは、第１バッテリ２１Ａに比べて第２バッテリ２１Ｂに近い。第２排気口４２Ｂおよび第２排気流路１３ｂは、第１バッテリ２１Ａに比べて第３バッテリ２１Ｃに近い。スペーサ２６は、第１中央列ＣＬ１および第２中央列ＣＬ２に含まれる第１バッテリ２１Ａの第１側面３１ｃに沿って設けられている。
【００７４】
このような構成によれば、第１の実施形態と同様に、電池モジュール１１の冷却性能の向上を図ることができる。
【００７５】
（実施形態の変形例）
次に、図１２を参照して、実施形態の電池モジュール１１の変形例について説明する。この変形例は、例えば、第１から第７の実施形態のいずれにも適用可能である。なお図１２では、第１の実施形態の構成に適用された例を取り上げて説明する。
【００７６】
図１２に示すように、電池モジュール１１は、複数の第１スペーサ２６と、複数の第２スペーサ７１とを有する。第１スペーサ２６は、第１バッテリ２１Ａの第１側面３１ｃに沿って設けられている。一方で、第２スペーサ７１は、第２バッテリ２１Ｂの第１側面３１ｃまたは第３バッテリ２１Ｃの第２側面３１ｄに沿って設けられている。第２スペーサ７１は、第１スペーサ２６よりもＹ方向の厚さが薄い。
【００７７】
このような構成によれば、第１の実施形態と同様に、電池モジュール１１の冷却性能の向上を図ることができる。また本実施形態では、第２バッテリ２１Ｂおよび第３バッテリ２１Ｃの第１側面３１ｃに沿う通風隙間ｇには、第１スペーサ２６よりも薄い第２スペーサ７１が設けられている。このような構成によれば、第１バッテリ２１Ａ、第２バッテリ２１Ｂ、および第３バッテリ２１Ｃが膨張しようとする場合に、第１バッテリ２１Ａの第１側面３１ｃに沿う通風隙間ｇは、第１スペーサ２６によって保たれる。一方で、第２バッテリ２１Ｂおよび第３バッテリ２１Ｃの第１側面３１ｃに沿う通風隙間ｇは、第２バッテリ２１Ｂおよび第３バッテリ２１Ｃの膨張によって狭くなる。このため、第１の実施形態と同様に、より多くの冷却流体を第１バッテリ２１Ａに向けて流すことができる。これにより、電池モジュール１１の全体としての冷却性能を向上させることができる。
【００７８】
以上、いくつかの実施形態および変形例に係る電池モジュール１１について説明したが、実施形態の構成は上記例に限定されない。例えば、上述の第１から第７の実施形態の構成は、互いに組み合わせて適用されても良い。上述の実施形態の構成において、吸気／排気の流れ方向が逆でもよい。すなわち、バッテリケース２４の側壁２４ｂに設けられた第１通風口が吸気口であり、バッテリケース２４の下壁２４ａに設けられた第２通口が排気口でもよい。例えば、スペーサ２６は、第１バッテリ２１Ａに沿う隙間ｇに加えて、第２バッテリ２１Ｂや第３バッテリ２１Ｃに沿う隙間ｇに設けられてもよい。バッテリケース２４の下壁２４ａ、第１から第４の側壁２４ｂ，２４ｃ，２４ｄ，２４ｅ、端子部ケース２５の上壁２５ａ、第１から第４の側壁２５ｂ，２５ｃ，２５ｄ，２５ｅ、および仕切壁２５ｆの名称は、説明の便宜上、付されてものである。このため、これら壁は、順不同で、「第１壁」、「第２壁」、「第３壁」、…などと称されてもよい。
【００７９】
以上説明した少なくともひとつの実施形態によれば、電池モジュールは、第１バッテリと、第２バッテリと、ケースと、スペーサとを備える。前記ケースは、前記第１バッテリおよび前記第２バッテリを収容し、前記第１バッテリに比べて前記第２バッテリの近くに通風口を有する。前記スペーサは、前記第１バッテリに沿って設けられ、前記第１バッテリの表面に沿って冷却流体が流れる隙間を前記ケースの内部に保つ。このような構成によれば、電池モジュールの冷却性能の向上を図ることができる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１１…電池モジュール、２１…バッテリ、２１Ａ…第１バッテリ、２１Ｂ…第２バッテリ、２６…スペーサ、２９…ケース、３１…バッテリ本体、３１ｃ…第１側面（第１面）、３１ｄ…第２側面（第２面）、３２Ａ，３２Ｂ…端子、４１…吸気口（第２通風口）、４２Ａ…第１排気口（第１通風口），５１…スペーサ部材、５１ａ…スペーサ部材の第１部分、５１ｂ…スペーサ部材の第２部分、６１…絶縁フィルム、６５…絶縁板、ｇ…通風隙間（隙間）。
【図１】
2017154076.tif 000003
【図２】
2017154076.tif 000004
【図３】
2017154076.tif 000005
【図４】
2017154076.tif 000006
【図５】
2017154076.tif 000007
【図６】
2017154076.tif 000008
【図７】
2017154076.tif 000009
【図８】
2017154076.tif 000010
【図９】
2017154076.tif 000011
【図１０】
2017154076.tif 000012
【図１１】
2017154076.tif 000013
【図１２】
2017154076.tif 000014
【国際調査報告】
2017154076.tif 000015
2017154076.tif 000016